(57)【特許請求の範囲】
【請求項１】
外軸に飾り又はインジケータが取り付けられた飾り又はインジケータ取付構造において、
周面に開口が形成されると共に径方向に伸縮可能な弾性リングと、前記飾り又はインジケータとなる飾り部を外周面に有すると共に径方向に伸縮可能な飾りリングと、を備え、前記弾性リングの内側に前記飾りリングがはめ込まれ、飾りリングの飾り部が弾性リングの開口から外方を臨むようにして該開口にはめ入れられており、飾りリング及び弾性リングが共に、外軸の外周面に装着されることにより、飾り又はインジケータが外軸に取り付けられることを特徴とする飾り又はインジケータ取付構造。
【請求項２】
前記飾りリングは、１カ所切れ込みが形成されたＣ型リングであることを特徴とする請求項１記載の飾り又はインジケータ取付構造。
【請求項３】
前記弾性リングは、軟質材料から形成されたものであることを特徴とする請求項１または２記載の飾り又はインジケータ取付構造。
【請求項４】
前記飾り部はレンズとなっており、前記外軸の外表面に設けられた表示部が、該レンズとなった飾り又はインジケータから視認可能であることを特徴とする請求項１ないし３のいずれか１項に記載の飾り又はインジケータ取付構造。
【請求項５】
前記外軸は、飾りリング及び弾性リングが共に装着される外側軸筒と、外側軸筒に対して回転可能となり外側軸筒の内側に配設される内側軸筒とから構成されており、前記表示部は内側軸筒に設けられると共に、前記飾り部に対応する外側軸筒の部分は、前記内側軸筒の表示部を透視可能となっていることを特徴とする請求項４記載の飾り又はインジケータ取付構造。
【発明の詳細な説明】
【０００１】
【発明の属する技術分野】
本発明は、例えば、ボールペン、シャープペンシル、マーカーペン、フェルトペン、電子ペン等の筆記具、化粧品用ホルダ、化粧液供給装置等の化粧具等の外軸に飾り又はインジケータを取り付けた飾り又はインジケータ取付構造に関する。
【０００２】
【従来の技術】
従来の飾り又はインジケータ取付構造としては、外軸に一体的に成形により飾り又はインジケータを形作ったものや、外軸の側面に開口を設け、その開口に飾り又はインジケータとなる飾り部が形成されたものを、圧入したものが知られている。
【０００３】
【発明が解決しようとする課題】
しかしながら、かかる上記従来の構造では、飾り又はインジケータが異なる多種類の外軸を製造しなければならない場合、または、飾り又はインジケータに変更があった場合には、その種類毎または変更の都度に外軸を成形する金型を用意する必要がある。そのため、製造コストが高くなるという問題がある。
【０００４】
本発明はかかる従来の課題に鑑みなされたもので、飾り又はインジケータの変更を、低コストで容易に行うことができる飾り又はインジケータ取付構造を提供することをその目的とする。
【０００５】
【課題を解決するための手段】
上記目的を達成するために本発明のうち請求項１記載の発明は、外軸に飾り又はインジケータが取り付けられた飾り又はインジケータ取付構造において、
周面に開口が形成されると共に径方向に伸縮可能な弾性リングと、前記飾り又はインジケータとなる飾り部を外周面に有すると共に径方向に伸縮可能な飾りリングと、を備え、前記弾性リングの内側に前記飾りリングがはめ込まれ、飾りリングの飾り部が弾性リングの開口から外方を臨むようにして該開口にはめ入れられており、飾りリング及び弾性リングが共に、外軸の外周面に装着されることにより、飾り又はインジケータが外軸に取り付けられることを特徴とする。
【０００６】
また、請求項２記載の発明は、請求項１記載の前記飾りリングが、１カ所切れ込みが形成されたＣ型リングであることを特徴とする。
【０００７】
また、請求項３記載の発明は、請求項１または２記載の前記弾性リングが、軟質材料から形成されたものであることを特徴とする。
【０００８】
また、請求項４記載の発明は、請求項１ないし３のいずれか１項に記載の前記飾り部がレンズとなっており、前記外軸の外表面に設けられた表示部が、該レンズとなった飾り又はインジケータから視認可能であることを特徴とする。
【０００９】
また、請求項５記載の発明は、請求項４記載の前記外軸が、飾りリング及び弾性リングが共に装着される外側軸筒と、外側軸筒に対して回転可能となり外側軸筒の内側に配設される内側軸筒とから構成されており、前記表示部は内側軸筒に設けられると共に、前記飾り部に対応する外側軸筒の部分は、前記内側軸筒の表示部を透視可能となっていることを特徴とする。
【００１０】
飾り又はインジケータを変更する場合には、変更後の飾り又はインジケータとなる飾り部が形成された飾りリングを用意し、また場合によっては、その変更後の飾り又はインジケータに対応する開口が形成された弾性リングを用意し、その弾性リングの内側に飾りリングをはめ入れ、これらを、外軸の外周面に装着する。これにより、飾りリング及び場合によっては弾性リングを変更するだけでよいため、外軸の変更とは異なり、低コストで容易に飾り又はインジケータの変更を行うことができるようになる。
【００１１】
また、飾りリングがＣ型リングである場合には、切れ込みが拡大・縮小することで径方向に伸縮可能となり、簡単に弾性リングの内側にはめ入れることができるようになり、弾性リングと共に簡単に外軸の外周面に装着できるようになる。但しこれに限ることなく、飾りリングを弾性的な軟質材料からなるリングで構成することも可能である。
【００１２】
また、弾性リングが軟質部材から形成される場合には、径方向に伸縮可能となり、簡単にその内側に飾りリングをはめ入れることができるようになり、飾りリングと共に簡単に外軸の外周面に装着できるようになる。また、弾性リングが外軸の中の把持部に位置づけられる場合にはクッション効果を併せ持たせることができる。但しこれに限ることなく、弾性リングをＣ型リングで構成することも可能である。
【００１３】
また、前記飾り部がレンズとなることにより、飾り部に、その内側の外軸に施された表示部を拡大し、そして、それを外部に向けて表示をするインジケータとして作用させることもできる。
【００１４】
また、外軸が、外側軸筒と該外側軸筒に対して回転可能となった内側軸筒とから構成されて、前記内側軸筒に表示部が設けられて、前記飾り部に対応する外側軸筒の部分が表示部を透視可能となっている場合に、内側軸筒に回転に応じた複数の表示部を設けておくと、内側軸筒の回転によって、飾り部によって拡大される表示部を切り替えることができ、表示内容を変化させることができる。内筒軸筒の表示部を透視可能となった前記飾り部に対応する外側軸筒の部分は、例えば、外側軸筒の飾り部に対応する部分に開口、切欠等を形成するか、外側軸筒の少なくとも飾り部に対応する部分を透明材質または半透明材質で形成する等の任意の手段により構成することができる。
【００１５】
【発明の実施の形態】
以下、図面を用いて本発明の実施の形態を説明する。図１ないし図５は本発明の第１の実施形態を表す図である。
【００１６】
図において、符号１０は筆記具であり、先具１３、先軸１４、ガイドバー１５、後軸１６、クリップ受台１９及び後端キャップ１８とで外軸２０が構成される。図２に示したように、先具１３の後端部内に先軸１４の先端部が挿入されて螺着されており、ガイドバー１５の前端部内に先軸１４の後端部が挿入されて螺着されている。また、ガイドバー１５の後部は後軸１６内へと伸びて、ガイドバー１５の後端に形成された係止部１５ａが、後軸１６内に形成された仕切壁１６ａに相対回転可能に係止されている。こうして、ガイドバー１５を介して後軸１６は先軸１４に対して、相対回転可能、前後方向にノック移動可能且つ、ガイドバー１５と先軸１４とを螺着／螺着解除することにより着脱可能に連結される。上記部品で構成される外軸２０内には、複数の筆記軸体２２が挿入されており、それぞれその先端が先具１３の先端口から出没可能となっている。また、各筆記軸体２２の後部は、ガイドバー１５の後部に形成された案内溝１５ｂ内をスライド可能となっている。
【００１７】
筆記軸体２２の出没動作については、任意の機構が適用可能であるが、この実施形態では、各筆記軸体２２の後端にカム部材２３が連結されており、このカム部材２３は、後軸１６の内周面に形成されたカム突起１６ｃに摺接係合可能となっている。また、ガイドバー１５の軸方向中間部に形成された段部１５ｄと、各カム本体２３との間には、カム部材２３を後方へと付勢するリターンスプリング２４が介挿されており、従って、カム部材２３の後端は、常時、後軸１６の内周面に形成されたカム突起１６ｃに押し付けられるようになっている。後軸１６を先軸１４に対して回転すると、後軸１６と、先軸１４に対して螺着されたガイドバー１５との間で相対回転が発生する。よって、ガイドバー１５の案内溝１５ｂにスライド可能となった各筆記軸体２２のカム部材２３と後軸１６に形成されたカム突起１６ｃとの間に相対回転が発生し、カム部材２３が後軸１６のカム突起１６ｃに沿って移動し、複数の筆記軸体２２に連結されたカム部材２３の中でいずれかのカム部材２３が前進し、そのカム部材２３に連結された筆記軸体２２がガイドバー１５に沿って前進して、その先端が先具１３の先端開口より突出するようになっている。後軸１６を先軸１４に対して回転させる回転方向、または回転角度に応じて、複数の筆記軸体２２の中から任意の筆記軸体２２を選択的に突出させることができる。
【００１８】
後軸１６の後端には、クリップ１９ａが一体に形成されたクリップ受台１９が装着されており、このクリップ受台１９に後端キャップ１８が着脱可能に装着されている。
【００１９】
先軸１４の外周面には、ゴム、合成ゴム、熱可塑性エラストマー、シリコーンゴム等の軟質材料からなるグリッパー３０が嵌着されている。グリッパー３０は、先軸１４の外周面で、先具１３の後端面とガイドバー１５の前端面との間に装着される。
【００２０】
一方、後軸１６の外周面に形成された溝１６ｂ内には、弾性リング３２及び飾りリング３４が装着されており、これらによって、クリップ１９ａと軸方向に整列するようにして、飾り（又はインジケータ）Ｄが構成されている。
【００２１】
弾性リング３２は、ゴム、合成ゴム、熱可塑性エラストマー、シリコーンゴム、軟質プラスチック等の軟質材料からなり、その材料の性質により径方向に伸縮可能となっている。図４に示したように弾性リング３２の周面には、開口３２ａが形成されており、弾性リング３２の開口３２ａの周囲は、窪み部３２ｂとなっている。
【００２２】
一方、図５に示したように、飾りリング３４は、一カ所切れ込み３４ｂが形成されたＣ型リングとなっており、従って、切れ込み３４ｂが拡大・縮小することで飾りリング３４全体が径方向に伸縮可能となっている。切れ込み３４ｂと対向する部分に、所望の飾り又はインジケータが形作られた飾り部３４ａが形成され、飾り部３４ａの周囲は、平坦部３４ｃとなっている。
【００２３】
弾性リング３２の内側に飾りリング３４がはめ込まれており、飾り部３４ａが開口３２ａにはめ入れられて、開口３２ａから臨むようにして外方に露出しており、弾性リング３２のその窪み部３２ｂの中央に位置づけられている。
【００２４】
以上の飾りリング３４、弾性リング３２及び後軸１６の取付けは次のようにして行われる。図３に示したように、この飾りリング３４は、弾性リング３２の中に挿入されて、その飾り部３４ａが弾性リング３２の開口３２ａから外方を臨むようにして、開口３２ａにはめ入れられる。挿入の際には、飾りリング３４の径方向の伸縮性と、さらに弾性リング３２の材質による径方向の伸縮性を利用して、飾りリング３４を径方向に縮小させる一方で、弾性リング３２を径方向に拡大させながら、作業を行うことができる。
【００２５】
こうして一体化した飾りリング３４と弾性リング３２をさらに、後軸１６の溝１６ｂ内に挿入する。この挿入の際も、飾りリング３４の径方向の伸縮性と、さらに弾性リング３２の材質による径方向の伸縮性を利用して、飾りリング３４及び弾性リング３２を共に径方向に拡大させながら、作業を行うことができる。以上のようにして、簡単に飾りＤを後軸１６に取り付けることができる。
【００２６】
後軸１６に、これらの飾りリング３４及び弾性リング３２を安定して装着するべく、後軸１６の溝１６ｂは、図２に示したように、弾性リング３２を受ける収容部１６ｂ１と飾りリング３４を受ける収容部１６ｂ２をそれぞれ有していると良い。
【００２７】
飾りＤを変える場合には、飾りリング３４を別のものに取り替える。新しい飾りリング３４には、異なる形状または異なる色の飾り部３４ａが形成されており、飾り部３４ａの形状の変更により、弾性リング３２の開口３２ａもこれに対応してその形状を変更する必要がある場合には、弾性リング自体も取り替える。また、例えば、飾り部３４ａの色が異なるといった、形状変化を伴わない変更の場合には、同じ弾性リング３２を使用することができる。新たな飾りリング３４を、弾性リング３２の内側にはめ入れたものを、後軸１６の溝１６ｂ内に装着することで、別の飾りＤを取り付けることができる。製造コストがかかる後軸１６については、何らの変更の必要もなく、飾りリングと場合によっては弾性リングを交換するだけで良く、これらの部品は、それぞれ金型を用意したとしても大きなコストがかからないため、低コストで変更を行うことができる。飾りＤの形状または色を変えることによって、美観を備えつつ商品の見分けを行うことができるようになり、また、随時、自由に形状のデザインを変えることができるようになる。また、弾性リング３２が軟質材料から形成されているので、その部分を使用者が把持する場合に、クッション作用を果たすことができる。
【００２８】
図６は、本発明の第２の実施形態を表す図である。この実施形態では、飾りリング３４の飾り部３４ａが少なくとも透明または半透明材料で形成されており、飾り部３４ａがレンズとなっている。そして、後軸１６の溝１６ｂの前記飾りリング３４を収容する収容部１６ｂ２の前記飾り部３４ａが配置される部分には、開口１６ｄが形成されている。そして、ガイドバー１５の該後軸１６の開口１６ｄに対応する部分には、文字、記号または絵柄等の表示が印刷された表示部１５ｅが設けられている。前述のようにガイドバー１５（内側軸筒に対応）は、後軸１６（外側軸筒に対応）に対して相対回転し、開口１６ｄに対応する部位が変化するので、その部位に応じて異なる印刷を施した複数の表示部１５ｅを設けておくとよい。
【００２９】
このような構成によれば、レンズとなった飾り部３４ａを介して、外軸２０を構成するガイドバー１５に設けられた表示部１５ｅの印刷が拡大されて外軸２０の外部から視認することができるようになる。また、使用する筆記軸体２２を変えるために後軸１６をガイドバー１５に対して回転させると、これに同期して飾り部３４ａから見えるガイドバー１５の表示部１５ｅを変化させることができる。例えば、ガイドバー１５の複数の表示部１５ｅを、それぞれ収容されている筆記軸体２２の種類を表すものとし、飾り部３４ａによって拡大して見える表示部１５ｅがその時点で先具１３の先端口から突出する筆記軸体２２の種類を表すように、複数の表示部１５ｅの位置を適宜調整することにより、使用者に分かり易いものとすることもできる。
【００３０】
また、図６に示した実施形態では、飾り部３４ａに対応して後軸１６に開口１６ｄを形成していたが、この代わりに、後軸１６の対応する部分を含む一部または後軸１６全体を透明の材質で構成することにより、飾り部３４ａを介してガイドバー１５に設けた表示部１５ｅが見えるようにすることもできる。または、その変形例として、後軸１６に開口１６ｄを設けたり後軸１６を透明の材質で構成する代わりに、後軸１６の飾り部３４ａに対応する外周面に文字、記号または絵柄等の表示が印刷された表示部を設けることにしても良く、この表示部をレンズとなった飾り部３４ａを介して拡大することにしてもよい。
【００３１】
尚、以上の実施形態では、後軸１６に飾りＤを設ける場合について説明したが、これに限るものではなく、先軸１４、または他の外軸２０の部分に設けるようにしても良いことは言うまでもない。
【００３２】
【発明の効果】
以上説明したように、本発明によれば、飾り又はインジケータを変える場合に、飾りリング及び場合によって弾性リングを交換することで、飾り又はインジケータの変更を簡単に行うことができるようになる。また、その取付作業も簡単に行うことができる。
【図面の簡単な説明】
【図１】本発明の第１の実施形態による飾り又はインジケータ取付構造が適用された筆記具の全体図である。
【図２】図１の縦断面図である。
【図３】飾りリング、弾性リング及び後軸の分解斜視図である。
【図４】（ａ）は弾性リングの平面図、（ｂ）は（ａ）の４ｂ−４ｂ線に沿って見た断面図、（ｃ）は（ａ）の４ｃ−４ｃ線に沿って見た断面図である。
【図５】（ａ）は飾りリングの平面図、（ｂ）は（ａ）の５ｂ−５ｂ線に沿って見た断面図、（ｃ）は（ａ）の矢印５ｃから見た矢視図である。
【図６】本発明の第２の実施形態による飾り又はインジケータ取付構造が適用された筆記具の全体図である。
【符号の説明】
１０  筆記具
１５  ガイドバー（内側軸筒）
１６  後軸（外側軸筒）
２０  外軸
３２  弾性リング
３２ａ  開口
３４  飾りリング
３４ａ  飾り部
Ｄ  飾り（インジケータ）
【図１】
0004612215.tif 000002
【図２】
0004612215.tif 000003
【図３】
0004612215.tif 000004
【図４】
0004612215.tif 000005
【図５】
0004612215.tif 000006
【図６】
0004612215.tif 000007